(57)【要約】【課題】    本発明の課題は、立ち上がり部に取り付けた型枠材が、上方からの荷重に対しても強固に支持できる支持固定方法を提供することであり、そのための構造が複雑でなく、作業時間の短縮やコスト削減が可能な立ち上がり部の浮遊具を提供することである。【解決手段】    鉄筋コンクリート建造物における立ち上がり部のコンクリート部分のための型枠材を支持するための浮遊具において、前記型枠材を下部から支持するための型枠材受け部材と、前記型枠材受け部材と、梁のあばら筋とを固定するための固定部材とを備えたことを特徴とする浮遊具であり、この浮遊具による支持方法である。【選択図】  図２
2005220737.tif 000002
【特許請求の範囲】
【請求項１】
鉄筋コンクリート建造物における立ち上がり部のコンクリート部分のための型枠材を支持するための浮遊具において、
前記型枠材を下部から支持するための型枠材受け部材と、
前記型枠材受け部材と、梁のあばら筋とを固定するための固定部材とを備えたことを特徴とする浮遊具。
【請求項２】
前記の型枠材受け部材は、全ネジ棒材の頂部に、該全ネジ棒材の径より大きな径の円板状の受台が設けられており、前記の固定部材は、略Ｕ字型に屈曲された板材であり、その平行板部分を前記の全ネジ棒材が貫通するように２つの孔が開けられている固定金具と、その屈曲部に設けられたネジ穴に螺合するボルトネジとからなることを特徴とする請求項１に記載の浮遊具。
【請求項３】
鉄筋コンクリート建造物における立ち上がり部のコンクリート部分のための型枠材の支持方法において、  前記型枠材を下部から支持するための型枠材受け部材を用い、該型枠受け部材を梁のあばら筋に固定することにより、前記の型枠材を支持することを特徴とする立ち上がり部の型枠材支持方法。
【請求項４】
前記の請求項２に記載の浮遊具を用いて、前記の型枠材を支持することを特徴とする請求項３に記載の立ち上がり部の型枠材支持方法。
【発明の詳細な説明】
【技術分野】
【０００１】
本発明は、鉄筋コンクリート建造物における立ち上がり部のコンクリート部分のための型枠材を支持するための浮遊具およびその支持方法に関する。
【背景技術】
【０００２】
鉄筋コンクリート建造物における立ち上がり部を模式的に示した断面図を図４に示す。
【０００３】
図中に示す破線は、これから打ち継ぎされるコンクリート壁の輪郭を示している。
【０００４】
図４（ａ）のように単純に打ち継ぎを行うと、その打ち継ぎ箇所から水漏れが発生したり、差し筋２０の根元２１に腐食が発生したりする。
【０００５】
そこで図４（ｂ）のように、立ち上がり部２２を設けて、水漏れや腐食の問題を防止するようにしている。
【０００６】
その場合には、立ち上がり部２２の形成箇所に端太角などの型枠材２３を設け、その基礎となるコンクリート２４と一体的に打設する必要がある。
【０００７】
ところが、この型枠材２３は、通常、差し筋２０の配筋作業が終了してから、図５に示すように、その差し筋２０に結束線２５などで結んで固定している。
【０００８】
そのため、型枠材２３の取付けは、差し筋２０の配筋作業が終了してから行わなければならず、作業効率が悪い。
【０００９】
また、差し筋２０への型枠材２３の固定は、結束線２５による固縛であり弱いため、コンクリートを打設する際、ポンプ車のゴムホースが型枠材２３の上に乗ってしまったり、作業者がこの型枠材２３を踏みつけてしまったりするなど、型枠材２３に上方から荷重が加わると、図４（ｃ）に示すように、未硬化状態のコンクリートに型枠材２３が埋まってしまう。
【００１０】
この埋まった型枠材２３ａを除去するために、既に硬化したコンクリートに対してハツリ作業を行う必要があり、無駄な時間や経費を要していた。
【００１１】
また、鉄筋同士を直交状態で固定する結束金具としては、特開２０００−２５７２１号公報などのように、コンクリート杭の主筋とループ筋との固定のために、Ｕ字状の針金にナットを固着し、ボルトで締付けて固定する鉄筋結束金具などがある。
【特許文献１】特開２０００−２５７２１１号公報
【発明の開示】
【発明が解決しようとする課題】
【００１２】
このように、従来の立ち上がり部における型枠材の固定手段として、差し筋への結束が行われているが、縦に設けられる差し筋に対しての取付け固定では、どうしても上下に移動する可能性がある。
【００１３】
この立ち上がり部の型枠材には、前述のように、ポンプ車のホースが乗ったり、作業員が踏みつけたりする場合などかなりの荷重が予想される。
【００１４】
図５の立ち上がり部２２の左側に示すように、スラブ下面の型枠２６上に、ポリパタ受け２７を設けて、その上部に端太角２３（型枠材）を取り付けるのであれば、上方からの荷重に対して、強固に支えることができ、端太角２３が埋まってしまうことはなくなる。
【００１５】
しかし、図５の立ち上がり部の右側においては、スラブ下面の型枠がなく、ポリパタ受けを使用できない。
【００１６】
本発明の課題は、立ち上がり部に取り付けた型枠材が、上方からの荷重に対しても強固に支持できる支持固定方法を提供することであり、そのための構造が複雑でなく、作業時間の短縮やコスト削減が可能な立ち上がり部の浮遊具を提供することである。
【課題を解決するための手段】
【００１７】
上記の課題を解決するために、本発明の請求項１では、鉄筋コンクリート建造物における立ち上がり部のコンクリート部分のための型枠材を支持するための浮遊具において、前記型枠材を下部から支持するための型枠材受け部材と、前記型枠材受け部材と、梁のあばら筋とを固定するための固定部材とを備えたことを特徴とする浮遊具である。
【００１８】
該型枠材受け部材は、立ち上がり部の型枠材を下部から支持できるものであればいずれでも良く、例えば、棒鋼材の頂部に円板型の受け台を取り付けたものでも良く、ネジ式に取り付ければ、高さの調整もできる。
【００１９】
また、市販のポリパタ受けを使用することもできる。
【００２０】
該固定部材は、前記の型枠材受け部材とあばら筋とを直交状態で固定できるものであればいずれでも良く、例えば、結束線により、強固に固縛しても良く、市販のパイプ固定具なども使用可能である。
【００２１】
また、本発明の請求項２では、前記の型枠材受け部材が、全ネジ棒材の頂部に、該全ネジ棒材の径より大きな径の円板状の受台が設けられており、前記の固定部材は、略Ｕ字型に屈曲された板材であり、その平行板部分を前記の全ネジ棒材が貫通するように２つの孔が開けられている固定金具と、その屈曲部に設けられたネジ穴に螺合するボルトネジとからなることを特徴とする浮遊具である。
【００２２】
該全ネジ棒材は、市販の全ネジ棒鋼材を所定の長さに切断して使用することができる。
【００２３】
該受け台は、全ネジ棒材の頂部取り付けられ、前記の型枠材を下部から支持できる大きさの円板材であればいずれでも良い。
【００２４】
該固定部材は、肉厚の鋼板材などがよく、屈曲部の穴にネジが切れる程度の板厚のものが良い。
【００２５】
Ｕ字の間隔は、あばら筋が十分に入るように、あばら筋の径より大きくする必要がある。
【００２６】
貫通孔は全ネジ棒材が挿通できる大きさであれば良く、全ネジの外径より、若干大きめの孔であれば良い。
【００２７】
該ボルトネジは、締付けて、全ネジ棒材とあばら筋とを直交状に固定することができるものであればいずれでも良く、ボルト径は、あばら筋と同等以上であることが好ましい。
【００２８】
また、本発明の請求項３では、  鉄筋コンクリート建造物における立ち上がり部のコンクリート部分のための型枠材の支持方法において、前記型枠材を下部から支持するための型枠材受け部材を用い、該型枠受け部材を梁のあばら筋に固定することにより、前記の型枠材を支持することを特徴とする立ち上がり部の型枠材支持方法である。
【００２９】
該型枠材を差し筋に固定するのではなく、型枠材受け部材で支持し、この型枠材受け部材をあばら筋に固定するものである。
【００３０】
差し筋に型枠材を結束線などで横から結束しても、上方からの荷重に対して、十分に支えきれない。
【００３１】
下部から受け部材で支えることで、上方からの荷重に対してしっかりと支持できるものである。
【００３２】
また、本発明の請求項４では、前記の請求項２に記載の浮遊具を用いて、前記の型枠材を支持することを特徴とする立ち上がり部の型枠材支持方法である。
【００３３】
前記の浮遊具は、全ネジ棒材を用いているため、固定時にそのネジ部がＵ字型の固定金具の貫通孔部と、あばら筋とに係止されるため、上下方向に滑ることがなくなり、強固に、受け部材とあばら筋とを固定でき、上方からの荷重に対して型枠材が沈んでしまう問題が解消される。
【発明の効果】
【００３４】
本発明によれば、以下のような効果がある。
【００３５】
１）立ち上がり部の型枠材に対して上方から荷重がかかった場合の位置ずれを防止できる。
【００３６】
２）コンクリート打設後の型枠材のハツリ作業の必要がない。
【００３７】
３）浮遊具は、構造が複雑でなく、安価に製作できる。
【００３８】
４）結束線による結束作業ではなく、ネジ締めによるため、簡単にかつ確実に固定できる。
【００３９】
５）差し筋への固定ではないので、差し筋の配筋作業を待たずに、あばら筋の配筋作業と同時に作業ができ、作業効率が良い。
【００４０】
６）結束線固定の場合に問題となる、作業者が踏みつけて結束線を切断してしまう心配がない。
【００４１】
７）全ネジ棒材が滑り止めとなり、強固に固定できる。
【００４２】
８）固定部材がＵ字状板材を使用しているため、強固な締め付け固定が可能である。
【発明を実施するための最良の形態】
【００４３】
本発明の実施の形態について、図面を用いて説明する。
【００４４】
図１は、本発明の実施の形態における立ち上がり部の浮遊具の固定部材を示す図であり、（１）は平面視図であり（２）は側面視図である。
【００４５】
図２は、本発明の実施の形態における立ち上がり部の浮遊具の使用状態を示す図である。
【００４６】
本実施例に示す浮遊具１は、全ネジ棒材４と、その頂部に取り付けられた円板状受台３よりなる型枠材受け部材２と、Ｕ字型板材６とボルトネジ７からなる固定部材５とで構成されている。
【００４７】
該固定部材５のＵ字型板材６は、その屈曲部にボルトネジ７を螺合するネジ孔８が設けられており、水平板部には、型枠材受け部材６の全ネジ棒材４が挿通される貫通孔９が２箇所開けられている。
【００４８】
この浮遊具１は、あばら筋１０の水平部に固定部材２のＵ字型板材６を嵌めこみ、貫通孔９に上部より型枠受け部材２の全ネジ棒材４の下端部を挿入し、ボルトネジ７を締めこむことにより、あばら筋１０と浮遊具１を固定する。
【００４９】
また、この浮遊具１を用いた立ち上がり部２２の作業においては、図３に示すように、あばら筋１０に浮遊具１の固定部材５で締付けてしっかりと固定し、型枠受け部材２の受台３の上部に型枠材２３を載せて釘などで固定する。
【００５０】
高さの調整は、ボルトネジ７による全ネジ棒材４の締付け位置で調整する。
【００５１】
この型枠材取付け作業は、あばら筋１０に浮遊具１を固定する作業であり、あばら筋１０の配筋作業と同時に進めることができるので、従来のように、差し筋２０に型枠材２３を結束線２５で固縛する場合と大きく異なり、差し筋２０の配筋作業が終了してから作業する必要はなくなり、作業効率が格段に向上するものである。
【００５２】
また、従来の問題点である、型枠材２３に上方より荷重がかかる場合においては、浮遊具１の受台３でしっかりと支持されるため、コンクリート２４に埋まってしまうことはなくなり、ハツリ作業の必要もなくなる。
【００５３】
本浮遊具１は、構造が複雑ではなく、低コストで製作でき、ボルト止め作業であるので、容易にかつ確実に固定でき、作業性、経済性、信頼性の高い立ち上がり部の型枠材の支持方法を提供できるものである。
【図面の簡単な説明】
【００５４】
【図１】本発明による浮遊具の固定部材を示す図である。
【図２】本発明による浮遊具の使用例を示す図である。
【図３】本発明による浮遊具の施工例を示す断面図である。
【図４】鉄筋コンクリート建造物の立ち上がり部を模式的に示した断面図である。
【図５】従来の立ち上がり部の結束線を用いた型枠材の施工例を示す断面図である。
【符号の説明】
【００５５】
１  浮遊具
２  型枠材受け部材
３  受台
４  全ネジ棒材
５  固定部材
６  Ｕ字型板材
７  ボルトネジ
８  ネジ孔
９  貫通孔
１０  あばら筋
２０  差し筋
２２  立ち上がり部
２３  型枠材
２３ａ  埋まった型枠材
２４  基礎コンクリート
２５  結束線
２７  ポリパタ受け
【図４】
2005220737.tif 000003
【図１】
2005220737.tif 000004
【図２】
2005220737.tif 000005
【図３】
2005220737.tif 000006
【図５】
2005220737.tif 000007
【手続補正書】
【提出日】平成17年2月7日(2005.2.7)
【手続補正１】
【補正対象書類名】明細書
【補正対象項目名】全文
【補正方法】変更
【補正の内容】
【発明の詳細な説明】
【技術分野】
【０００１】
本発明は、鉄筋コンクリート建造物における立ち上がり部のコンクリート部分のための型枠材を支持するための浮遊具およびその支持方法に関する。
【背景技術】
【０００２】
鉄筋コンクリート建造物における立ち上がり部を模式的に示した断面図を図４に示す。
【０００３】
図中に示す破線は、これから打ち継ぎされるコンクリート壁の輪郭を示している。
【０００４】
図４（ａ）のように単純に打ち継ぎを行うと、その打ち継ぎ箇所から水漏れが発生したり、差し筋２０の根元２１に腐食が発生したりする。
【０００５】
そこで図４（ｂ）のように、立ち上がり部２２を設けて、水漏れや腐食の問題を防止するようにしている。
【０００６】
その場合には、立ち上がり部２２の形成箇所に端太角などの型枠材２３を設け、その基礎となるコンクリート２４と一体的に打設する必要がある。
【０００７】
ところが、この型枠材２３は、通常、差し筋２０の配筋作業が終了してから、図５に示すように、その差し筋２０に結束線２５などで結んで固定している。
【０００８】
そのため、型枠材２３の取付けは、差し筋２０の配筋作業が終了してから行わなければならず、作業効率が悪い。
【０００９】
また、差し筋２０への型枠材２３の固定は、結束線２５による固縛であり弱いため、コンクリートを打設する際、ポンプ車のゴムホースが型枠材２３の上に乗ってしまったり、作業者がこの型枠材２３を踏みつけてしまったりするなど、型枠材２３に上方から荷重が加わると、図４（ｃ）に示すように、未硬化状態のコンクリートに型枠材２３が埋まってしまう。
【００１０】
この埋まった型枠材２３ａを除去するために、既に硬化したコンクリートに対してハツリ作業を行う必要があり、無駄な時間や経費を要していた。
【００１１】
また、鉄筋同士を直交状態で固定する結束金具としては、特開２０００−２５７２１号公報などのように、コンクリート杭の主筋とループ筋との固定のために、Ｕ字状の針金にナットを固着し、ボルトで締付けて固定する鉄筋結束金具などがある。
【特許文献１】特開２０００−２５７２１１号公報
【発明の開示】
【発明が解決しようとする課題】
【００１２】
このように、従来の立ち上がり部における型枠材の固定手段として、差し筋への結束が行われているが、縦に設けられる差し筋に対しての取付け固定では、どうしても上下に移動する可能性がある。
【００１３】
この立ち上がり部の型枠材には、前述のように、ポンプ車のホースが乗ったり、作業員が踏みつけたりする場合などかなりの荷重が予想される。
【００１４】
図５の立ち上がり部２２の左側に示すように、スラブ下面の型枠２６上に、ポリパタ受け２７を設けて、その上部に端太角２３（型枠材）を取り付けるのであれば、上方からの荷重に対して、強固に支えることができ、端太角２３が埋まってしまうことはなくなる。
【００１５】
しかし、図５の立ち上がり部の右側においては、スラブ下面の型枠がなく、ポリパタ受けを使用できない。
【００１６】
本発明の課題は、立ち上がり部に取り付けた型枠材が、上方からの荷重に対しても強固に支持できる支持固定方法を提供することであり、そのための構造が複雑でなく、作業時間の短縮やコスト削減が可能な立ち上がり部の浮遊具を提供することである。
【課題を解決するための手段】
【００１７】
上記の課題を解決するために、本発明の請求項１では、鉄筋コンクリート建造物における立ち上がり部のコンクリート部分のための型枠材を支持するための浮遊具において、前記型枠材を下部から支持するための型枠材受け部材と、前記型枠材受け部材と、梁のあばら筋とを固定するための固定部材とを備えたことを特徴とする浮遊具である。
【００１８】
該型枠材受け部材は、立ち上がり部の型枠材を下部から支持できるものであればいずれでも良く、例えば、棒鋼材の頂部に円板型の受け台を取り付けたものでも良く、高さの調整も調整可能である。
【００１９】
また、市販のポリパタ受けを使用することもできる。
【００２０】
該固定部材は、前記の型枠材受け部材とあばら筋とを直交状態で固定できるものであればいずれでも良く、例えば、結束線により、強固に固縛しても良く、市販のパイプ固定具なども使用可能である。
【００２１】
また、本発明の請求項２では、前記の型枠材受け部材が、全ネジ棒材の頂部に、該全ネジ棒材の径より大きな径の円板状の受台が設けられており、前記の固定部材は、略Ｕ字型に屈曲された板材であり、その平行板部分を前記の全ネジ棒材が貫通するように２つの孔が開けられている固定金具と、その屈曲部に設けられたネジ穴に螺合するボルトネジとからなることを特徴とする浮遊具である。
【００２２】
該全ネジ棒材は、市販の全ネジ棒鋼材を所定の長さに切断して使用することができる。
【００２３】
該受け台は、全ネジ棒材の頂部取り付けられ、前記の型枠材を下部から支持できる大きさの円板材であればいずれでも良い。
【００２４】
該固定部材は、肉厚の鋼板材などがよく、屈曲部の穴にネジが切れる程度の板厚のものが良い。
【００２５】
Ｕ字の間隔は、あばら筋が十分に入るように、あばら筋の径より大きくする必要がある。
【００２６】
貫通孔は全ネジ棒材が挿通できる大きさであれば良く、全ネジの外径より、若干大きめの孔であれば良い。
【００２７】
該ボルトネジは、締付けて、全ネジ棒材とあばら筋とを直交状に固定することができるものであればいずれでも良く、ボルト径は、あばら筋と同等以上であることが好ましい。
【００２８】
また、本発明の請求項３では、  鉄筋コンクリート建造物における立ち上がり部のコンクリート部分のための型枠材の支持方法において、前記型枠材を下部から支持するための型枠材受け部材を用い、該型枠受け部材を梁のあばら筋に固定することにより、前記の型枠材を支持することを特徴とする立ち上がり部の型枠材支持方法である。
【００２９】
該型枠材を差し筋に固定するのではなく、型枠材受け部材で支持し、この型枠材受け部材をあばら筋に固定するものである。
【００３０】
差し筋に型枠材を結束線などで横から結束しても、上方からの荷重に対して、十分に支えきれない。
【００３１】
下部から受け部材で支えることで、上方からの荷重に対してしっかりと支持できるものである。
【００３２】
また、本発明の請求項４では、前記の請求項２に記載の浮遊具を用いて、前記の型枠材を支持することを特徴とする立ち上がり部の型枠材支持方法である。
【００３３】
前記の浮遊具は、全ネジ棒材を用いているため、固定時にそのネジ部がＵ字型の固定金具の貫通孔部と、あばら筋とに係止されるため、上下方向に滑ることがなくなり、強固に、受け部材とあばら筋とを固定でき、上方からの荷重に対して型枠材が沈んでしまう問題が解消される。
【発明の効果】
【００３４】
本発明によれば、以下のような効果がある。
【００３５】
１）立ち上がり部の型枠材に対して上方から荷重がかかった場合の位置ずれを防止できる。
【００３６】
２）コンクリート打設後の型枠材のハツリ作業の必要がない。
【００３７】
３）浮遊具は、構造が複雑でなく、安価に製作できる。
【００３８】
４）結束線による結束作業ではなく、ネジ締めによるため、簡単にかつ確実に固定できる。
【００３９】
５）差し筋への固定ではないので、差し筋の配筋作業を待たずに、スラブ筋の配筋作業と同時に作業ができ、作業効率が良い。
【００４０】
６）結束線固定の場合に問題となる、作業者が踏みつけて結束線を切断してしまう心配がない。
【００４１】
７）全ネジ棒材が滑り止めとなり、強固に固定できる。
【００４２】
８）固定部材がＵ字状板材を使用しているため、強固な締め付け固定が可能である。
【発明を実施するための最良の形態】
【００４３】
本発明の実施の形態について、図面を用いて説明する。
【００４４】
図１は、本発明の実施の形態における立ち上がり部の浮遊具の固定部材を示す図であり、（１）は平面視図であり（２）は側面視図である。
【００４５】
図２は、本発明の実施の形態における立ち上がり部の浮遊具の使用状態を示す図である。
【００４６】
本実施例に示す浮遊具１は、全ネジ棒材４と、その頂部に取り付けられた円板状受台３よりなる型枠材受け部材２と、Ｕ字型板材６とボルトネジ７からなる固定部材５とで構成されている。
【００４７】
該固定部材５のＵ字型板材６は、その屈曲部にボルトネジ７を螺合するネジ孔８が設けられており、水平板部には、型枠材受け部材６の全ネジ棒材４が挿通される貫通孔９が２箇所開けられている。
【００４８】
この浮遊具１は、あばら筋１０の水平部に固定部材２のＵ字型板材６を嵌めこみ、貫通孔９に上部より型枠受け部材２の全ネジ棒材４の下端部を挿入し、ボルトネジ７を締めこむことにより、あばら筋１０と浮遊具１を固定する。
【００４９】
また、この浮遊具１を用いた立ち上がり部２２の作業においては、図３に示すように、あばら筋１０に浮遊具１の固定部材５で締付けてしっかりと固定し、型枠受け部材２の受台３の上部に型枠材２３を載せて釘などで固定する。
【００５０】
高さの調整は、ボルトネジ７による全ネジ棒材４の締付け位置で調整する。
【００５１】
この型枠材取付け作業は、あばら筋１０に浮遊具１を固定する作業であり、スラブ筋１０の配筋作業と同時に進めることができるので、従来のように、差し筋２０に型枠材２３を結束線２５で固縛する場合と大きく異なり、差し筋２０の配筋作業が終了してから作業する必要はなくなり、作業効率が格段に向上するものである。
【００５２】
また、従来の問題点である、型枠材２３に上方より荷重がかかる場合においては、浮遊具１の受台３でしっかりと支持されるため、コンクリート２４に埋まってしまうことはなくなり、ハツリ作業の必要もなくなる。
【００５３】
本浮遊具１は、構造が複雑ではなく、低コストで製作でき、ボルト止め作業であるので、容易にかつ確実に固定でき、作業性、経済性、信頼性の高い立ち上がり部の型枠材の支持方法を提供できるものである。
【図面の簡単な説明】
【００５４】
【図１】本発明による浮遊具の固定部材を示す図である。
【図２】本発明による浮遊具の使用例を示す図である。
【図３】本発明による浮遊具の施工例を示す断面図である。
【図４】鉄筋コンクリート建造物の立ち上がり部を模式的に示した断面図である。
【図５】従来の立ち上がり部の結束線を用いた型枠材の施工例を示す断面図である。
【符号の説明】
【００５５】
１  浮遊具
２  型枠材受け部材
３  受台
４  全ネジ棒材
５  固定部材
６  Ｕ字型板材
７  ボルトネジ
８  ネジ孔
９  貫通孔
１０  あばら筋
２０  差し筋
２２  立ち上がり部
２３  型枠材
２３ａ  埋まった型枠材
２４  基礎コンクリート
２５  結束線
２７  ポリパタ受け
【手続補正２】
【補正対象書類名】図面
【補正対象項目名】全図
【補正方法】変更
【補正の内容】
【図４】
2005220737.tif 000008
【図１】
2005220737.tif 000009
【図２】
2005220737.tif 000010
【図３】
2005220737.tif 000011
【図５】
2005220737.tif 000012